(57)【要約】      （修正有）【課題】訴求力の高い店頭宣伝用のイーゼル黒板を提供する。【解決手段】店頭宣伝用イーゼル黒板やメニューイーゼルなどの任意の場所を１ヶ所以上くり抜き、どこでもＷＥＢサイトを表示できるよう、無線設備や蓄電池を設けたインターネットパソコン等のＷＥＢサイト表示装置を設備し、インターネット上のサーバーにあらかじめ蓄えた或いはアップロードしたデータを、あらかじめ用意したＣＧＩプログラムを選択利用しアップロード或いはダウンロードし、手書き文字やメニュー等とマッチする静止画像、動画像、音声、芳香などを組み合わせコントロールし繰り返し表示する。【選択図】図１
2006071687.tif 000002
【特許請求の範囲】
【請求項１】
店頭設置用手書きイーゼル黒板において、少なくとも一部分以上にＷＥＢサイト表示装置を組み込み手書文字とＷＥＢサイトの表示内容とを連携させ表示する事で訴求力を増強する事を特徴とする「ＷＥＢサイト表示装置一体型店頭宣伝用ネットイーゼル」。
【請求項２】
店頭設置用メニュー・パンフレット掲示型イーゼル等において、少なくとも一部分以上にＷＥＢサイト表示装置を組込みＷＥＢサイトの表示内容とメニューやパンフレットの表示内容とを連携させ表示する事で訴求力を増強する事を特徴とする「ＷＥＢサイト表示装置一体型店頭設置型掲示板イーゼル」。
【発明の詳細な説明】
【技術分野】
【０００１】
ＷＥＢサイトを連携表示する為に必要なインターネットに関する情報処理技術、及びコンピューターの組込・設計・製造技術、基礎入出力プログラム（ＢＩＯＳ）関連技術、サーバーからデーターをダウンロードする為のＣＧＩプログラム作成技術。
【背景技術】
【０００２】
店頭用宣伝には、従来食品模型等を陳列したショーウインドーや、手作りを強調し手書文字を書込んだイーゼル黒板やメニューやパンフレットを掲示するための掲示板型イーゼルなどがあり、一般的に広く使用されています。
【発明の開示】
【発明が解決しようとする課題】
【０００３】
この手書き文字用イーゼル黒板やメニュー掲示イーゼルは、手作り感覚と高級感は充分アピールできるものの、訴求力が充分ではありませんでした。しかし、食品模型の入ったショーケースを設置すると、手書き文字黒板のもつ手作り感覚やメニュー掲示型イーゼルのもつ高級感は無くなってしまうという課題がありました。又、イーゼルは、店頭設置を主目的としている為、通りすがりの顧客にしかアピールできないという課題がありました。
【課題を解決するための手段】
【０００４】
このイーゼル黒板やメニュー掲示イーゼルの訴求力不足をＷＥＢサイト表示装置をイーゼル黒板やメニュー掲示イーゼルに組み込み、インターネットを介して、静止画像、動画、音声、芳香等をタイムリーに提供する事で、手作り感覚や高級感を失わないよう、訴求力不足を補い、且つ店頭の顧客のみならず、遠方の顧客にもアピールする事を特徴とする「ＷＥＢサイト表示装置一体型店頭宣伝用ネットイーゼル」を構築する事で、この課題を解決する。
【発明の効果】
【０００５】
「ＷＥＢサイト表示装置一体型店頭宣伝用ネットイーゼル黒板」や「ＷＥＢサイト表示装置一体型店頭掲示板型ネットイーゼル台」を店頭宣伝に利用すれば、手書き文字のもつ手作り感覚やメニューのみを表示するという高級感や上品さを犠牲にせず、タイムリーで且つ訴求力ある店頭宣伝を展開する事ができ、プラスチックの食品模型の入ったショーケースを設置する事を良しとしない中高級レストランに最適なものである。更に、「ＷＥＢサイト表示装置一体型店頭宣伝用ネットイーゼル」から、必要となる静止画像、動画像、音声、芳香データ等をインターネットサーバーにアップロードしたり、同サーバーから静止画像、動画、音声、芳香データなどをダウンロードし、手書き文字、或いはメニューに合わせ連携表示し、訴求力を増強できる。インターネットを利用している事から、芳香をのぞいて店頭の顧客のみならず、遠方の顧客にもアピールする事ができる為、一石２鳥の効果が期待できる。又、「ＷＥＢサイト表示装置一体型店頭宣伝用ネットイーゼル」に接続されたデジカメやマイクから送信されたデーターを、管理目的などに使用する事も可能である。
【発明を実施するための最良の形態】
【０００６】
図１のように、イーゼル黒板（１）或いはメニュー掲示イーゼル台の任意の位置にＷＥＢサイト表示装置のディスプレイ部分が前面から見えるようくり抜き開口部（２）をつくり、ディスプレイ部分を設置してある。もし、画面を拡大する方がよい時はここに拡大レンズ兼防水カバー（３）を取り付け、小さなＷＥＢサイト表示装置の画面でも迫力のある映像を提供できるようにし、突然の雨から表示装置を保護する為の防水カバーを装備する事もできるようにしてある。
【０００７】
図２は当該ＷＥＢサイト表示装置取付部分の断面図であり、点線の矩形部分は、このＷＥＢサイト表示装置本体（５）である。又このＷＥＢサイト表示装置を容易に維持管理できるよう ＷＥＢサイト表示装置挿入補助スライド（６）を設け、脱着が容易にできるようにしてある。更にこの挿入補助スライドを補強し、 ＷＥＢサイト表示装置の脱落を防ぐ為 ＷＥＢサイト表示装置押さえ（７）を設けてある。更に、音声スピーカー（８）や芳香カプセル（９）も設けてあり、ＷＥＢサイト表示装置本体（５）からコントロールできるよう、セットしてある。
【０００８】
図３は、 ＷＥＢサイト表示装置本体及びインターネットサーバーの全体図であり、必要な電源は、電源ケーブル（１０）を通じ、蓄電池兼定電圧装置（１１）に供給され、電源のない場所においても、容易に運用できるようにしてある。又ケーブルを引き回せない場所も多数ある事から、ケータイ電話などの外付け無線ＬＡＮ装置（１２）、または内蔵無線ＬＡＮ装置を設備し、インターネットサーバー（１３）に、アクセスできるよう設備してある。
【０００９】
当該「ＷＥＢサイト表示装置一体型店頭宣伝用ネットイーゼル」を設置した店舗は、インターネット上のサーバー（１３）に、あらかじめ蓄えているデーターを取り出す為、あらかじめ用意してある表示用ＣＧＩプログラム（１４）のうち、最適なプログラムを起動し、必要な表示はディスプレー部から、音声はスピーカー（８）から、芳香は、芳香カプセル（９）からそれぞれの形式を選択しコントロールし、繰り返し提供する事ができるようセットしてある。また、ＷＥＢサイトの内容は、ＣＧＩプログラム（１４）を利用し容易に変更可能であり、デジカメ（１５）等で撮影した写真やマイク（１６）を使用し、音声等もアップロードし、直に利用できるようになっているため、日替わりやタイムサービス等にも、即対応し宣伝する事ができる。さらに、これらデジカメや集音マイクを、「ＷＥＢサイト表示装置一体型店頭宣伝用ネットイーゼル」に接続し、定期的もしくは常時サーバーに映像や音声を送信したり、任意の場所からコントロールし記録利用する事も可能である。
【図面の簡単な説明】
【００１０】
【図１】ＷＥＢサイト表示装置一体型店頭宣伝用ネットイーゼルの概略図
【図２】ＷＥＢサイト表示装置一体型店頭宣伝用ネットイーゼルの断面図
【図３】ＷＥＢサイト表示装置一体型店頭宣伝用ネットイーゼル本体とサーバー図
【符号の説明】
【００１１】
１  イーゼル黒板又はメニュー掲示イーゼル
２  ＷＥＢサイトヒョウジ装置開口部
３  拡大レンズ兼防水カバー
４  ディスプレー部
５  スタンド用補強材
６  ＷＥＢサイト表示装置挿入補助スライド
７  ＷＥＢサイト表示装置押さえ
８  スピーカー
９  芳香カプセル
１０  電源ケーブル
１１  蓄電池部
１２  無線ＬＡＮ部
１３  インターネットサーバー部
１４  ＣＧＩプログラム
１５  デジタルカメラ
１６  マイクロフォン
【図１】
2006071687.tif 000003
【図２】
2006071687.tif 000004
【図３】
2006071687.tif 000005